(57)【要約】      （修正有）【課題】起床報知を親器から子器へ確実に行えるようにするとともに、予め設定（指定）した起床時刻に駆動シャフト上の偏心コマを回転させることで、敷布団上の就寝者の背中に強い刺激を付与可能にし、以って就寝者に対し確実に起床を促すことを可能にした起床報知システムを提供する。【解決手段】親器の制御手段から送信された制御情報を通信線を介して受信するとともに、この制御情報を無線で送信する送信部を中継器に備え、この中継器の送信部から送信された制御情報にもとづいて駆動される減速機付モータ２５によって、敷布団３４の下に設置されて５個の偏心コマ３２が設けられた駆動シャフト３１を駆動制御する子器３を備えた構成である。【選択図】図３
0003196026.tif 000002
【実用新案登録請求の範囲】
【請求項１】
起床時刻を設定するための起床時刻設定手段と、該起床時刻設定手段で設定した起床時刻を含む制御情報を生成する制御手段とを親器に備え、
該親器の制御手段から送信された制御情報を通信線を介して受信し、この受信した制御情報を有線又は無線で送信する送信部を中継器に備え、該中継器の送信部から送信された前記制御情報を受信する受信部を有するとともに、受信した前記制御情報にもとづき、前記設定された起床時刻に、敷布団の下に設置されて減速機付モータによって駆動される５個の偏心コマ付きの駆動シャフトを駆動制御する駆動制御手段を備える子器を備えたことを特徴とする起床報知システム。
【請求項２】
前記５個の偏心コマのうち互いに隣り合う一方が敷布団を押し上げる向きとなるように、またこれに隣り合う他方が敷布団の下降を許容する向きとなるように、前記駆動シャフトにそれぞれ取り付けられていることを特徴とする請求項１に記載の起床報知システム。
【請求項３】
前記子器がは子器側コネクタを有し、前記中継器は中継コネクタを有し、この中継コネクタに子器側コネクタを接続したとき、前記中継器からまたは該中継器を介して前記親器から、子器で使用する電力を供給可能にしたことを特徴とする
請求項１に記載の起床報知システム。
【請求項４】
前記子器は、前記中継器を介して前記親器から送信された前記制御情報を記憶するメモリを備えたことを特徴とする請求項１に記載の起床報知システム。
【考案の詳細な説明】
【技術分野】
【０００１】
本考案は、早朝就業等のために仮眠または就寝している等の特定人に起床を促すための起床報知システムに関する。
【背景技術】
【０００２】
従来、マットレス、敷布団等の寝具の下に空気袋を敷きこみ、この空気袋と送風機とを送風パイプにより連結した起床報知システムが提案されている。この起床報知システムによれば、ワーレンモータでマイクロスイッチをオン、オフすることにより、空気袋に一定時間間隔で送気し、空気袋の膨張、収縮を繰り返し行うことで、寝具上の仮眠者（就寝者）に起床通報を感知させることができる（例えば、特許文献１参照）。
【０００３】
これによれば、空気を利用して空気袋を繰り返し膨張、収縮させる構成を採用するため、システム構成が大掛かりになるほか携行に不便である。また、空気袋には繰り返し動的なストレスが作用するため、強度劣化を免れ得ず耐久性に難がある。また、コスト高となって、一般への普及の妨げになっている。
【０００４】
これに対して、本出願人は、設定時刻に動作するタイムスイッチを持つ計時手段と、前記タイムスイッチの動作によって得られる信号を有線または無線で送信する送信手段と、この送信手段からの送信信号を受信する受信手段と、この受信手段とともに手首など身体の一部に装着され、前記受信手段が受信した信号に基づいて振動を発生する振動手段と、を備える起床報知システムを提案している。
【０００５】
この起床報知システムでは、送信手段の送信電波が届くいずれの位置でも、設定時間になると振動手段を無線で作動させるために、この手段を携帯または装着している特定人のみに振動を感知させることができるとともに、システム構成を簡素化、ローコスト化でき、携行が可能になるという利点が得られる。
【先行技術文献】
【特許文献】
【０００６】
【特許文献１】実公昭４６‐３４４６０号公報
【考案の概要】
【考案が解決しようとする課題】
【０００７】
しかしながら、かかる従来の起床報知システムにあっては、設定時刻になると有線又は無線送信される電波が、周辺の鉄筋コンクリートのビルディングに遮られるなどして、受信手段側における電波の受信感度が不安定になり、従って前記振動手段の動作が不安定となって、起床報知を正しく行えなくなるほか、前記振動手段を人が携帯しまたは身体に装着して使用するものであるため、その装着作業および装着後の使用感が共に煩わしいという不都合があった。
【０００８】
加えて、前記振動手段としての振動モータは人の手首に装着して使用される程度に小型であり、従って振動レベルが不十分であるところから、その振動に対する手首の感覚が比較的鈍い仮眠者（就寝者）には、起床タイミングを確実に感知できない場合があるという不都合があった。
【０００９】
本考案は、前記のような従来の問題に着目してなされたものであり、その目的とするところは、起床報知を親器から子器へ確実に行えるようにするとともに、予め設定（指定）した起床時刻に減速機付モータに取り付けられた駆動シャフト上の偏心コマを回転させることで、敷布団上の就寝者の背中に強い刺激を付与可能にし、以って就寝者に対し確実に起床を促すことができる起床報知システムを得ることを目的とする。
【課題を解決するための手段】
【００１０】
前記目的達成のために、本考案にかかる起床報知システムは、起床時刻を設定するための起床時刻設定手段と、該起床時刻設定手段で設定した起床時刻を含む制御情報を生成する制御手段とを親器に備え、該親器の制御手段から送信された制御情報を通信線を介して受信し、この受信した制御情報を有線又は無線で送信する送信部を中継器に備え、該中継器の送信部から送信された前記制御情報を受信する受信部を有するとともに、受信した前記制御情報にもとづき、前記設定された起床時刻に、敷布団の下に設置されて減速機付モータによって駆動される５個の偏心コマ付きの駆動シャフトを駆動制御する駆動制御手段を備える子器を備えたことを特徴とする。
【００１１】
この構成により、親器は起床時刻設定手段で設定した起床時刻を含む制御情報を有線で中継器に送信するため、電波障害にもとづく制御情報の品質劣化や不安定化を防止でき、制御情報の子器への送信精度を高めることができる。また、中継器の送信部から送信される制御情報を受けて子器側の減速機付モータが駆動されると、偏心コマを持つ駆動シャフトが回転する。これにより偏心コマ上に位置する敷布団のうち、偏心コマによって支持される５箇所に大振幅の上下運動が発生し、その敷布団上の就寝者の背中に繰り返し大きな刺激が付与する。この刺激が就寝者への明確な起床通報とり、起床を促すこととなる。
【００１２】
また、本考案にかかる起床報知システムは、前記５個の偏心コマのうち互いに隣り合う一方が敷布団を押し上げる向きとなるように、またこれに隣り合う他方が敷布団の下降を許容する向きとなるように、前記駆動シャフトにそれぞれ取り付けられていることを特徴とする。
【００１３】
この構成により、敷布団上の就寝者の背中のうち５箇所に、大きな刺激が反復継続的に付与されるので、就寝者に対し起床指示のための強いメッセージとすることができる。
【００１４】
また、本考案にかかる起床報知システムは、前記子器が子器側コネクタを有し、中継器が中継コネクタを有し、この中継コネクタに子器側コネクタを接続したとき、前記中継器からまたは該中継器を介して前記親器から、子器で使用する電力を供給可能にしたことを特徴とする。
【００１５】
この構成により、中継コネクタに対する子器側コネクタの接続により、大容量の電力を子器側に供給することができる。このため、子器側において起床報知のための制御処理および報知動作のための電力を十分に確保することができ、結果として起床報知動作を安定化できるとともに起床時刻の信頼性を高めることができる。
【００１６】
また、本考案にかかる起床報知システムは、前記子器が、前記中継器から送信された制御情報を記憶するメモリを備えることを特徴とする。
【００１７】
この構成により、親器にて設定された起床時刻情報をメモリに保持しておくことで、時計（計時手段）により計時された時刻がこのメモリに保持された起床時刻に一致したとき、直ちにかつ確実に振動手段による起床報知を開始することができる。
【考案の効果】
【００１８】
本考案によれば、子器で計時する時刻が、親器で指定した起床時刻になったときに、電波障害発生やこれに伴う制御情報の品質劣化や不安定化を招くことなく、敷布団上の就寝者の背中に繰り返し強い刺激を与えることができ、就寝者の起床を確実なものとすることができる。
【００１９】
以上、本考案について簡潔に説明した。更に、以下に本考案を実施するための最良の形態を添付の図面を参照して、詳細に説明する。
【図面の簡単な説明】
【００２０】
【図１】本考案の実施形態による起床報知システムを示すブロック図である。
【図２】図１における起床報知システムの子器の詳細を示すブロック図である。
【図３】図１における起床報知システムの子器に並設される減速機付モータ部分を示す構成図である。
【考案を実施するための形態】
【００２１】
以下、本考案の実施形態による起床報知システムを、図面を参照しながら説明する。
【００２２】
本実施形態による起床報知システムは、基本的に、起床時刻を設定するための起床時刻設定手段と、該起床時刻設定手段で設定した起床時刻を含む制御情報を生成する制御手段とを親器に備え、該親器の制御手段から送信された制御情報を通信線を介して受信し、この受信した制御情報を有線又は無線で送信する送信部を中継器に備え、該中継器の送信部から送信された前記制御情報を受信する受信部を有するとともに、受信した前記制御情報にもとづき、前記設定された起床時刻に、敷布団の下に設置されて減速機付モータによって駆動される５個の偏心コマ付きの駆動シャフトを駆動制御する駆動制御手段を持つ子器を備える。
【００２３】
この起床報知システムでは、親器が起床時刻を含む制御情報を有線で中継器に送信するため、この中継器から子器への制御情報の送信精度を高めることができる。また、中継器からの制御情報を受けて子器側の減速機付モータが駆動されると、偏心コマを持つ駆動シャフトが回転する。これにより偏心コマ上に位置する敷布団のうち、偏心コマによって支持される５箇所に大振幅の上下運動が発生し、その敷布団上の就寝者の背中に繰り返し大きな刺激が付与することとなる。この刺激が就寝者への明確な起床通報となり、確実に起床を促すこととなる。
【００２４】
図１は本実施形態による起床報知システムを、図２は前記起床報知システムにおける子器の詳細を、図３は子器に並設される減速機付モータ部分を、それぞれ示す。
【００２５】
図１において、この起床報知システムは、親器１、中継器２、子器３およびコマ作動手段４から構成されている。子器３は、必要に応じて就寝者数分、つまりこの子器３の携帯者数分用意される。
【００２６】
前記親器１は、電波時計手段１１と、起床時刻表示手段１２と、テンキーを含むキーボード部１３と、制御手段１４と、電源部１５と、充電部１６とを備えている。これらのうち、電波時計手段１１は標準電波送信所から送信される送信電波を前記電波時計受信手段（アンテナ部）Ｒで受信し、電波時計の時刻を修正するように機能し、正確な現在時刻を図示しない表示部に表示する。
【００２７】
起床時刻表示手段１２は、起床時刻設定手段であるキーボード部１３によって入力および設定される起床時刻を表示するように機能する。この表示形態は７セグメント式などの周知の方法が採用可能である。なお、キーボード部１３は数字による時刻の入力のほか、就寝用ベッド番号、就寝者ごとの所属や氏名、あるいはＩＤ番号などを記号や文字を用いて入力することができる。
【００２８】
制御手段１４は、起床時刻表示手段１２等を含む親器１内の回路各部からの情報に基づいて制御信号を出力するように機能する。例えばキーボード部１３の操作によって起床時刻を起床時刻表示手段１２に表示させたり、この表示を変更したり、あるいは起床時刻をＩＤ番号対応で生成し、これを特定の個人対応の起床情報として中継器２へ送信するように機能する。
【００２９】
電源部１５は、外部からのＡＣ電源（商用電源）を受けて、所定電圧値に変換する変圧器および交流／直流変換器としての整流回路等を備える。充電部１６は電源部１５から得られた整流出力の平滑回路等を含み、子器３が必要とするレベルの直流の充電電圧を出力する。なお、子器３が中継器２を介さずに、外部からのＡＣ電源を受けて独自に後述の減速機付モータを駆動するものである場合には、かかる充電部１６は省略することができる。
【００３０】
親器１に接続される中継器２は、前記制御手段１４が出力する制御情報中の前記起床情報を、通信線１７を介して受信するとともに、充電部１６が出力する充電電圧を、充電線１８を介して受ける。また、この中継器２は、前記起床情報を送信部１９ａへ、また充電電圧を中継コネクタ１９ｂの各接触子に、それぞれ供給するように機能する。
【００３１】
このコネクタ１９ｂは、親器１で得られた充電電圧を子器３に中継するように機能する。子器３は、中継器２の中継コネクタ１９ｂに接続される子器側コネクタ２０ｂと、送信部１９ａに無線接続される受信部２０ａとを備えている。図１では、子器側コネクタ２０ｂおよび受信部２０ａが外側に臨むように取り付けられている。また、子器３は、図２に示すように、二次電池２６と、表示灯２７と、駆動制御手段２８と、メモリ２９とを備えている。なお、子器３が外部のＡＣ電源からＡＣ電力を受けて独自に減速機付モータ２５を駆動するものである場合には、中継器２のコネクタ１９ｂおよび子器３のコネクタ２０ｂを省略することができる。
【００３２】
子器３にはコマ作動手段４が並設されており、計時された時刻が予め設定した時刻に達すると、所定の速度で駆動可能になっている。このコマ作動手段４は、図３に示すように、減速機付モータ２５と、この減速機付モータ２５の駆動軸にカップリング３０を介して一端が連結された駆動シャフト３１と、この駆動シャフト３１に等間隔に５個の偏心コマ３２と、その駆動シャフト３１の他端を回転自在に支持する軸受３３とを備えている。この駆動シャフト３１は、図３に鎖線で示す就寝用の敷布団３４の下部であって、この敷布団３４上の就寝者の背中に対応する位置に配置されている。駆動シャフト３１は敷布団３４の横幅に略等しい長さを持ち、この駆動シャフト３１には等間隔に前記５個の偏心コマ３２が取り付けられている。これらの偏心コマ３２は基本的に長径部と短径部とを連続して有し、これらの５個の偏心コマのうち互いに隣り合う一方が敷布団を押し上げる向きとなるように、また隣り合う他方が敷布団の下降を許容する向きとなるように、それぞれ駆動シャフト３１に取り付けられている。
【００３３】
二次電池２６には、コネクタ２０ｂとコネクタ１９ｂとを接続した際に、親器１の充電部１６から供給された電源用の電力が充電される。また、中継器２の送信部１９ａから無線送信される起床時刻情報を含む制御情報は子器３の受信部２０ａで受信され、さらに駆動制御手段２８に入力される。メモリ２９は駆動制御手段２８に入力された前記起床時刻情報を含む制御情報を記憶する。
【００３４】
表示灯２７は、二次電池２６の充電中に点灯して、充電の完了時や減速機付モータ２５の駆動時にブリンク状態になる。二次電池２６としては、例えば単４形ニッケル水素電池などを用いることができる。なお、前記減速機付モータ２５が外部からのＡＣ電力を直接受けて駆動制御されるものである場合には、前記２次電池２６とともに充電表示用の表示灯２７の設置を必要としない。
【００３５】
駆動制御手段２８は、前述のように、親器１の充電部１６から供給された電力を、中継器２を介して子器３の二次電池（バッテリ）２６に充電するとともに、子器１の制御手段１４から中継器２を介して子器３に入力される起床時刻情報をメモリ２９に記憶させる。そして、内蔵の時計（図示省略）がその起床時刻を検出すると、減速機付モータ２５に駆動電力を供給するように機能する。
【００３６】
前記においては、親器１の充電部１６から中継器２を介して子器３に充電電力を供給する場合を述べたが、中継器２に充電部を設けて、この充電部から子器３に充電電力を供給するようにしてもよい。
【００３７】
なお、複数の就寝者ごとに異なる起床時間を決めて起床通報を行う場合には、就寝者ごとに予め設定されているＩＤごとの起床時間を、前述の通り親器１のキーボード部１３によって指定する。これにより、指定された時間になると、親器１側において指定されたＩＤの就寝者が就寝する敷布団側の子器３に対して、確実に起床情報を通知することができる。
【００３８】
このような構成になる起床通報システムでは、先ず、管理者が親器１から就寝者に対し、ＩＤ登録した子器３が設置されたベッド上の敷布団での就寝を支持する。つまり、管理者は、親器１側において複数の就寝者ごとにＩＤ対応で起床時刻を決定し、起床時刻表示手段１２を参照しながら、起床時刻設定手段であるキーボード部１３からその決定した起床時刻を入力する。
【００３９】
この起床時刻の設定に当たっては、電波時計手段１１において標準電波で修正された正確な現在時刻の表示値を参照する。
【００４０】
このようにして親器１側で入力された各ＩＤと、このＩＤ対応の起床時刻を含む起床情報が通信線（有線）１７を介して中継器２に供給される。この通信線１７を通じて起床情報を供給することにより、その起床情報の内容を正確に中継器２へ送信することができる。
【００４１】
一方、中継器２へ送信された起床情報が送信部１９ａから子器３の受信部２０ａに無線受信され、この起床情報が各就寝者対応のＩＤごとに、親器１で指定（設定）された各子器３のメモリ２９に格納される。
【００４２】
また、子器３は時計（図示しない）により計時を行っており、計時時刻がメモリ２９に記憶されている起床時刻になると、駆動制御手段２４は駆動信号を出力し、減速機付モータ２５を駆動する。これにより、駆動シャフト３１が回転を始め、駆動シャフト３１上の各偏心コマ３２が敷布団３４を介してこの敷布団３４上の就寝者の背中のうち、直線方向の５箇所を交互に強く突き上げる。このため、就寝者は各偏心コマ３２からの刺激を背中に受けて、覚醒が促される。
【００４３】
また、子器３には、２次電池からでなく、外部の独立した電力源から直接電力を供給することで、回転トルクの大きい減速機付モータ２５を用いることが可能になり、偏心コマ３２の回転に対する負荷が大きい場合にも、前記突き上げ動作を安定的に繰り返し実行させることができる。
【００４４】
このように、本実施形態による起床報知システムは、起床時刻を設定するための起床時刻設定手段１２と、この起床時刻設定手段１２で設定した起床時刻を含む制御情報を生成する制御手段１４とを親器１に備え、この親器１の制御手段１４から送信された制御情報を通信線１７を介して受信し、この制御情報を無線で送信する送信部１９ａを中継器２に備え、この中継器２の送信部１９ａから送信された前記制御情報にもとづいて駆動される減速機付モータ２５によって、敷布団３４の下に設置されて５個の偏心コマ３２が設けられた駆動シャフト３１を駆動制御する子器３を備えて構成される。
【００４５】
従って、親器１は起床時刻設定手段１３で設定した起床時刻を含む制御情報を有線で中継器２に送信する。このため従来におけるような電波障害が発生せず、送信される制御情報の品質を高めることができる。また、中継器２の送信部１９ａから送信される制御情報を子器１の受信部２０ａで受信することで、起床時刻になると子器１側の減速機付モータ２５が駆動され、偏心コマ３２を持つ駆動シャフト３１が回転する。これにより偏心コマ３２上に位置する敷布団３４のうち、偏心コマ３２によって支持される５箇所に大振幅の上下運動が発生し、その敷布団３４上の就寝者の背中に繰り返し大きな刺激が付与され、就寝者に起床報知を確実に感知させることができる。
【産業上の利用可能性】
【００４６】
本考案の起床報知システムは、子器で計時する時刻が、親器で指定した起床時刻になったときに、電波障害発生やこれに伴う制御情報の品質劣化や不安定化を招くことなく、敷布団上の就寝者の背中に繰り返し強い刺激を与えることができるという効果を有し、早朝就業等のために仮眠または就寝している特定人に確実に起床を促すための起床報知システム等に有用である。
【符号の説明】
【００４７】
１…親器，２…中継器，３…子器，４…コマ作動手段，Ｒ…標準電波受信手段，１１…電波時計手段，１２…起床時刻表示手段，１３…キーボード（起床時刻設定手段），１４…制御手段，１５…電源部，１６…充電部，１７…通信線，１８…充電線，１９ａ…送信部，１９ｂ…中継コネクタ，２０ａ…受信部，２０ｂ…子器側コネクタ，２５…減速機付モータ，２６…バッテリ（２次電池），２７…発光ダイオード（表示灯），２８…駆動制御手段，２９…メモリ，３０…カップリング，３１…駆動シャフト，３２…偏心コマ，３３…軸受，３４…敷布団。
【図１】
0003196026.tif 000003
【図２】
0003196026.tif 000004
【図３】
0003196026.tif 000005